(57)【要約】【課題】連通部においてガスの流通を制御することができ、チャンバ間での内圧差について過渡特性を設定することのできるサイドエアバッグ装置を提供する。【解決手段】サイドエアバッグ装置はインフレータアセンブリ４０及びエアバッグ２０を備える。エアバッグ２０は、連通部２９を介して相互に連通する上部チャンバ２５及び下部チャンバ２６を有する。サイドエアバッグ装置は、車両側方からの衝撃に応じてインフレータアセンブリ４０からガスを噴出させ、そのガスにより乗員の側方近傍で下部チャンバ２６を上部チャンバ２５よりも高い内圧で膨張展開させる。このサイドエアバッグ装置において、エアバッグ２０の一部には、ガスにより連通部２９の周りで膨張する補助膨張部３２を設ける。この構成により補助膨張部３２は、エアバッグ２０の膨張過程で膨張を開始し、連通部２９の流路面積を縮小して連通部２９でのガスの流通を抑制する。【選択図】図４
2008189132.tif 000002
【特許請求の範囲】
【請求項１】
インフレータと、
連通部を介して相互に連通する一対のチャンバを少なくとも有し、車両側方からの衝撃に応じて前記インフレータから噴出されるガスにより、車両のボディサイド部及び乗員間で一方のチャンバが他方のチャンバよりも高い内圧で膨張展開するエアバッグと
を備えるサイドエアバッグ装置であって、
前記エアバッグの一部には、前記ガスにより前記連通部の周りで膨張する補助膨張部が設けられていることを特徴とするサイドエアバッグ装置。
【請求項２】
前記インフレータは前記連通部に配置されている請求項１に記載のサイドエアバッグ装置。
【請求項３】
前記エアバッグには、前記両チャンバに跨り、かつ内部へのガス流入不能に構成した非膨張部が設けられており、同エアバッグでは、前記一方のチャンバと前記連通部とが前記非膨張部を介して隣接するとともに、前記他方のチャンバと前記連通部とが前記非膨張部を介して隣接しており、
さらに、前記非膨張部には、前記補助膨張部の一部を挿通させるための挿通孔が設けられている請求項１又は２に記載のサイドエアバッグ装置。
【請求項４】
前記補助膨張部は前記連通部の周りに巻き付けられた状態で配置されている請求項１〜３のいずれか１つに記載のサイドエアバッグ装置。
【請求項５】
前記エアバッグにおける前記連通部の近傍であって、前記補助膨張部が巻き付けられる箇所には、前記インフレータを前記連通部に挿入するためのインフレータ挿入口が開口されている請求項４に記載のサイドエアバッグ装置。
【請求項６】
前記補助膨張部は、前記両チャンバについては内圧の高い側のチャンバにのみ連通されている請求項１〜５のいずれか１つに記載のサイドエアバッグ装置。
【請求項７】
前記補助膨張部は、前記両チャンバについては内圧の低い側のチャンバにのみ連通されている請求項１〜５のいずれか１つに記載のサイドエアバッグ装置。
【発明の詳細な説明】
【技術分野】
【０００１】
本発明は、車両に対し側方から加わる衝撃から乗員を保護するサイドエアバッグ装置に関し、特にエアバッグ内に異なる内圧で膨張する複数のチャンバを有するサイドエアバッグ装置に関するものである。
【背景技術】
【０００２】
側突等、車両に側方からの衝撃が加わった場合にその衝撃から乗員を保護する装置として、インフレータ及びエアバッグを備えたサイドエアバッグ装置が広く知られている。このサイドエアバッグ装置では、車両のボディサイド部に側方から衝撃が加わると、インフレータがガスをエアバッグ内に噴出する。噴出されたガスによりエアバッグが、車両用シートに着座した乗員とボディサイド部との間の狭い空間において、シートバックから前方へ向けて膨張展開し、ボディサイド部を通じて乗員へ伝わる側方からの衝撃を緩和する。
【０００３】
ここで、一般に、人体側部の耐衝撃性については、腰部の方が胸部よりも勝っていることが知られている。このため、胸部から腰部にわたる領域について乗員を保護するサイドエアバッグ装置の場合、エアバッグの膨張展開によって乗員に作用する衝撃は、胸部において腰部よりも小さいことが望ましい。
【０００４】
そこで、サイドエアバッグ装置の一態様として、エアバッグ内を、乗員の胸部に対応する上部チャンバと腰部に対応する下部チャンバとに区画したものが提案されている。例えば、特許文献１には、エアバッグ内に上部チャンバと下部チャンバとを連通させる連通部を設け、２つの吹出口を有するインフレータをこの連通部に配置するとともに、ホースバンド等の締付部材により、エアバッグにおいて連通部に対応する部分をインフレータに締め付けるようにしたサイドエアバッグ装置が記載されている。このサイドエアバッグ装置では、車両側方からの衝撃に応じ、インフレータの上側の吹出口から上部チャンバにガスが噴出されるとともに、下側の吹出口から下部チャンバへ上部チャンバへよりも多くの量のガスが噴出される。下部チャンバに対応する箇所が腰部の側方近傍で高い内圧で膨張展開し、上部チャンバに対応する箇所が胸部の側方近傍で低い内圧で膨張展開する。そのため、エアバッグは、乗員の各部の耐衝撃性に応じた内圧で乗員に接触することとなり、乗員の各部を衝撃から有効に保護することができる。なお、上部チャンバと下部チャンバとは上記締付部材によって気密に隔絶されているため、上下両チャンバ間でのガスの流動がなく、内圧差が保持される。
【０００５】
また、１つの吹出口を端部に有するインフレータを連通部に配置したサイドエアバッグ装置も知られている。このサイドエアバッグ装置では、車両側方からの衝撃に応じインフレータの吹出口からガスが噴出されると、このガスはまず下部チャンバに供給され、その後、連通部を通って上部チャンバへ流入する。こうした順に流れるガスにより、下部チャンバが上部チャンバに優先して同上部チャンバよりも高い内圧で膨張展開させられる。そのため、このサイドエアバッグ装置でも、エアバッグ内の圧力分布が、乗員の部位による耐衝撃性の上記相違を考慮したものとなる。
【特許文献１】特開２００４−２１００４８号公報
【発明の開示】
【発明が解決しようとする課題】
【０００６】
ところが、上述した前者（特許文献１）のサイドエアバッグ装置では、連通部はインフレータの配置箇所として機能するにすぎない。エアバッグにおいて連通部に対応する箇所は、締付部材によりインフレータに密着されている。連通部は閉塞された状態となっていて、この連通部におけるガスの流通は終始遮断されている。そのため、この連通部でガスの流通を制御することはできず、上下両チャンバ間での内圧差についての特性は、インフレータの各吹出口から噴出されるガスの量によって一義的に決まってしまう。
【０００７】
また、上述した後者のサイドエアバッグ装置では、連通部はインフレータの配置箇所として機能するとともに、下部チャンバから上部チャンバへのガスの流路としても機能する。しかし、このサイドエアバッグ装置では、連通部において流路として有効に機能する箇所の流路面積が一定であり、連通部にガスの流通を制御する機能はない。そのため、この場合にも、上下両チャンバ間での内圧差についての特性は、吹出口からのガスの噴出量、連通部の流路面積等によって一義的に決まってしまう。
【０００８】
本発明はこのような実情に鑑みてなされたものであって、その目的は、連通部においてガスの流通を制御することができ、チャンバ間での内圧差について過渡特性を設定することのできるサイドエアバッグ装置を提供することにある。
【課題を解決するための手段】
【０００９】
上記の目的を達成するために、請求項１に記載の発明は、インフレータと、連通部を介して相互に連通する一対のチャンバを少なくとも有し、車両側方からの衝撃に応じて前記インフレータから噴出されるガスにより、車両のボディサイド部及び乗員間で一方のチャンバが他方のチャンバよりも高い内圧で膨張展開するエアバッグとを備えるサイドエアバッグ装置であって、前記エアバッグの一部には、前記ガスにより前記連通部の周りで膨張する補助膨張部が設けられていることを要旨とする。
【００１０】
上記の構成によれば、車両に対し側方から衝撃が加わると、インフレータからガスが噴出され、両チャンバが車両のボディサイド部と乗員との間で膨張展開する。この際、一方のチャンバの内圧は他方のチャンバの内圧よりも高く、両チャンバ間で内圧差が生ずる。従って、内圧の高いチャンバが乗員について耐衝撃性の高い部位の側方で膨張展開し、内圧の低いチャンバが耐衝撃性の低い部位の側方で膨張展開するように両チャンバの位置を設定することにより、エアバッグを乗員の各部の耐衝撃性に応じた内圧で乗員に接触させ、乗員の各部を衝撃から有効に保護することができる。
【００１１】
ここで、上記のようにエアバッグが膨張する過程では、連通部がガスの流路として機能し、両チャンバ間でのガスの流通が可能となる。また、上記エアバッグの膨張過程では、チャンバがある程度膨張してから、エアバッグの一部をなす補助膨張部にもガスが流入し、同補助膨張部が連通部の周りで膨張する。この膨張が進行するに従い連通部の流路面積が縮小されていき、ガスが徐々に連通部を流れにくくなる（連通部でのガスの流通が抑制される）。その結果、両チャンバ間での内圧差は、こうした連通部の流路面積の変化のない場合とは異なったものとなる。そして、膨張した補助膨張部によって連通部が閉塞されると、同連通部でのガスの流通が遮断される。
【００１２】
このように、請求項１に記載の発明によれば、補助膨張部の膨張を利用して連通部におけるガスの流通を制御することができ、もって両チャンバ間での内圧差について過渡特性を設定することができるようになる。
【００１３】
請求項２に記載の発明は、請求項１に記載の発明において、前記インフレータは前記連通部に配置されていることを要旨とする。
上記の構成によれば、インフレータが連通部に配置された状態では、連通部の一部がインフレータによって占められる。連通部においてインフレータ以外の箇所がガスの流路となる。従って、この流路の面積、すなわち連通部の実質的な流路面積は、インフレータの分だけ小さくなる。連通部にインフレータを配置しない場合に比べ、補助膨張部が少ない量膨張するだけで連通部を閉塞することができ、補助膨張部による連通部の閉塞が容易となる。
【００１４】
請求項３に記載の発明は、請求項１又は２に記載の発明において、前記エアバッグには、前記両チャンバに跨り、かつ内部へのガス流入不能に構成した非膨張部が設けられており、同エアバッグでは、前記一方のチャンバと前記連通部とが前記非膨張部を介して隣接するとともに、前記他方のチャンバと前記連通部とが前記非膨張部を介して隣接しており、さらに、前記非膨張部には、前記補助膨張部の一部を挿通させるための挿通孔が設けられていることを要旨とする。
【００１５】
上記の構成によれば、補助膨張部の一部を非膨張部の挿通孔に挿通させることで、同補助膨張部を両チャンバに跨らせた状態で連通部の近傍に配置し、さらには補助膨張部を連通部の周りに配置することが可能となる。このように配置された補助膨張部にガスが流入することで、同補助膨張部が連通部の周りで膨張する。
【００１６】
なお、上記エアバッグでは、非膨張部がガス流入不能に構成されているため、各チャンバ内のガスや連通部内のガスが非膨張部内に入り込んで挿通孔からエアバッグ外部へ漏れ出るおそれはない。
【００１７】
請求項４に記載の発明は、請求項１〜３のいずれか１つに記載の発明において、前記補助膨張部は前記連通部の周りに巻き付けられた状態で配置されていることを要旨とする。
上記の構成によれば、連通部の周りに巻き付けられた状態で配置されている補助膨張部にガスが満遍なく行き渡ることで、補助膨張部は連通部を取り囲んだ状態で環状に膨張する。この膨張が進行するに従い補助膨張部の内径が小さくなり、これに伴い補助膨張部の内側の連通部の流路面積が縮小される。従って、上記請求項１〜３のいずれか１つに記載の発明の効果が確実に得られる。
【００１８】
請求項５に記載の発明は、請求項４に記載の発明において、前記エアバッグにおける前記連通部の近傍であって、前記補助膨張部が巻き付けられる箇所には、前記インフレータを前記連通部に挿入するためのインフレータ挿入口が開口されていることを要旨とする。
【００１９】
上記の構成によれば、補助膨張部が連通部の周りに巻き付けられる前の状態では、インフレータ挿入口は補助膨張部によって塞がれておらず、連通部の近傍で開口している。そのため、インフレータをエアバッグの外部からインフレータ挿入口を通じて連通部に挿入することが可能である。
【００２０】
また、インフレータの配置された連通部の周りに補助膨張部が巻き付けられた状態では、インフレータ挿入口に補助膨張部が被さる。さらに、エアバッグの膨張過程でガスの流入により補助膨張部が膨張すると、その膨張した補助膨張部がインフレータ挿入口の少なくとも周縁部分を押圧する。この押圧により、インフレータ挿入口が気密状態で塞がれ、エアバッグ内のガスがインフレータ挿入口から漏れ出る現象が抑止される。このように、請求項５に記載の発明によれば、補助膨張部の膨張を利用してインフレータ挿入口でのシール性を確保することができる。インフレータ挿入口からのガス漏出を抑止するための部材や機構を別途設けなくてもすむ。
【００２１】
請求項６に記載の発明は、請求項１〜５のいずれか１つに記載の発明において、前記補助膨張部は、前記両チャンバについては内圧の高い側のチャンバにのみ連通されていることを要旨とする。
【００２２】
上記の構成によれば、補助膨張部へは、内圧の高い側のチャンバのみからガスが流入する。従って、エアバッグが膨張する過程において、補助膨張部に対し比較的早い時期にガスが流入して同補助膨張部が膨張し、連通部の流路面積が縮小され、内圧の低い側のチャンバへガスが流入しにくくなる。補助膨張部によって連通部を閉塞する場合には、その閉塞の時期が早まり、内圧の低い側のチャンバへのガス流入が早く遮断される。そのため、両チャンバ間で大きな内圧差を確保することが可能となる。
【００２３】
請求項７に記載の発明は、請求項１〜５のいずれか１つに記載の発明において、前記補助膨張部は、前記両チャンバについては内圧の低い側のチャンバにのみ連通されていることを要旨とする。
【００２４】
上記の構成によれば、補助膨張部へは、内圧の低い側のチャンバのみからガスが流入する。そのため、エアバッグが膨張する過程において、内圧の低い側のチャンバにガスがある程度充填されるまでは、連通部の流路面積は補助膨張部によってはほとんど縮小されず、連通部は補助膨張部の非膨張時と同程度の連通状態となる。
【００２５】
そして、内圧の低い側のチャンバにガスがある程度充填されると、同チャンバから補助膨張部へガスが流入するようになる。このガスの流入により補助膨張部が膨張し、連通部の流路面積が縮小され、同連通部でのガスの流通が抑制される。内圧の高いチャンバからガスが連通部を通じて内圧の低いチャンバへ流入しにくくなる。このように、請求項７に記載の発明によると、内圧の低い側のチャンバに充分な量のガスの充填がなされるまで、連通部の連通状態を確保することができる。
【発明の効果】
【００２６】
本発明のサイドエアバッグ装置によれば、エアバッグの一部に、ガスにより連通部の周りで膨張する補助膨張部を設けたため、エアバッグの膨張に伴い補助膨張部を膨張させて連通部の流路面積を縮小し、連通部におけるガスの流通を制御することができ、もってチャンバ間での内圧差について過渡特性を設定することができる。
【発明を実施するための最良の形態】
【００２７】
（第１実施形態）
以下、本発明を具体化した第１実施形態について、図１〜図７を参照して説明する。
なお、以下の記載において、車両の前進方向を前方（車両前方）として説明し、車両の後進方向を後方（車両後方）として説明する。また、以下の記載における上下方向は車両の上下方向を意味し、左右方向は車両の車幅方向であって車両前進時の左右方向と一致するものとする。
【００２８】
図１及び図２の少なくとも一方に示すように、車両においてボディサイド部１１の車内側（図２の下側）の近傍には車両用シート１２が配置されている。ここで、ボディサイド部１１とは、車両の側部に配置された部材を指し、主としてドア、ピラー等がこれに該当する。例えば、前席に対応するボディサイド部１１は、フロントドア、センターピラー（Ｂピラー）等である。また、後席に対応するボディサイド部１１は、サイドドア（リアドア）の後部、Ｃピラー、タイヤハウスの前部、リアクォータ等である。
【００２９】
車両用シート１２は、シートクッション（座部）１３及びシートバック（背もたれ部）１４を備えて構成されている。シートバック１４の車外側（図２の上側）の側部には、サイドエアバッグ装置の主要部をなすエアバッグモジュール１５が組み込まれている。エアバッグモジュール１５は、エアバッグ２０及びインフレータアセンブリ４０を主要な構成部材として備えている。次に、これらの構成部材の各々について説明する。なお、図４は、ガスが充填されることなくエアバッグ２０が展開させられた状態のエアバッグモジュール１５を模式的に示している。
【００３０】
＜エアバッグ２０＞
図３に示すようにエアバッグ２０は、強度が高く、かつ可撓性を有していて容易に折り畳むことのできる素材、例えばポリエステル糸やポリアミド糸等を用いて形成した織布等からなる１枚の基布によって袋状に形成されている。
【００３１】
この形成に際しては、所定形状をなす基布が中央部分で二つ折りされて、互いに同一形状をなす表裏一対の重合部２１Ａ，２１Ｂ（図６（Ａ），（Ｂ）参照）が形成される。また、両重合部２１Ａ，２１Ｂはエアバッグ２０が膨張展開したときに、車両用シート１２（図１及び図２参照）に着座している乗員Ｐの腰部Ｐｐから胸部Ｐｔにかけての領域をカバーし得る大きさ・形状を有している。なお、一対の重合部２１Ａ，２１Ｂは、２枚の基布を重ね合わせることにより形成されるものであってもよい。この場合、各基布が各重合部２１Ａ，２１Ｂを構成することになる。
【００３２】
両重合部２１Ａ，２１Ｂは、図３中、太い鎖線で示す結合部２２〜２４によって相互に結合されている。本実施形態では、これらの結合部２２〜２４は、両重合部２１Ａ，２１Ｂを縫糸によって縫合することにより構成されているが、これとは異なる手段、例えば接着剤を用いた接着によって構成されてもよい。また、結合部２２〜２４が縫糸によるものである場合、その縫糸は１本であっても複数本（例えば２本）であってもよい。ここでは、図６（Ａ）に示すように、結合部２３については１本の縫糸によって構成されているが、結合部２２，２４については２本の縫糸によって構成されている。ただし、図３〜図５においては、結合部２２，２４を構成する２本の縫糸の一方の図示が省略されている。
【００３３】
図３及び図４の少なくとも一方に示すように、結合部２２〜２４は、エアバッグ２０の周縁部で両重合部２１Ａ，２１Ｂを結合する周縁結合部２２と、周縁結合部２２よりも内側で両重合部２１Ａ，２１Ｂを結合する第１内結合部２３及び第２内結合部２４とからなる。第２内結合部２４は、その第２内結合部２４によって囲まれた空間へのガスの流入を遮断すべく、無端状をなしている。これらの結合部２２〜２４によって、エアバッグ２０の内部空間は、両図中、下線付き数字で示す上部チャンバ２５、下部チャンバ２６、ガス排出用チャンバ２７、連通部２９、非膨張部３１、及び補助膨張部３２に仕切られている。
【００３４】
上部チャンバ２５は、乗員Ｐの胸部Ｐｔ及び腹部Ｐｓの側方近傍で膨張する箇所であって、エアバッグ２０の内部空間の概ね上部及び中間部に設けられている。下部チャンバ２６は、乗員Ｐの腰部Ｐｐの側方近傍で、上記上部チャンバ２５よりも高い内圧で膨張する箇所であって、エアバッグ２０の内部空間の概ね下部において上部チャンバ２５よりも小さく設けられている。
【００３５】
ガス排出用チャンバ２７は、上部チャンバ２５に充填されたガスを排出するための空間であり、同上部チャンバ２５の略前部に設けられている。このガス排出用チャンバ２７は、上記第１内結合部２３を介して上部チャンバ２５に隣接している。第１内結合部２３には、上部チャンバ２５及びガス排出用チャンバ２７間を連通させるスリット２８が設けられている。本実施形態では、スリット２８が第１内結合部２３の複数箇所に略等間隔毎に設けられているが、このスリット２８の箇所の数（１つを含む）及び位置は適宜変更可能である。
【００３６】
連通部２９は、上部チャンバ２５及び下部チャンバ２６を、それらの後部で相互に連通させる箇所であって、膨張したときに略上下方向に細長い略円筒状となる空間によって構成されている。連通部２９は、その上端部において上部チャンバ２５に連通し、下端部において下部チャンバ２６に連通している。
【００３７】
非膨張部３１は、上記第２内結合部２４によって囲まれた箇所であり、上記連通部２９の前側に位置している。非膨張部３１は略上下方向に細長い空間によって構成されている。このように非膨張部３１が設けられることで、エアバッグ２０では、上部チャンバ２５と連通部２９とが非膨張部３１を介して隣接するとともに、下部チャンバ２６と連通部２９とが非膨張部３１を介して隣接している。
【００３８】
補助膨張部３２は、上記連通部２９の周りに巻き付けられた状態でガスにより膨張する箇所であり、非巻き付け状態では上記連通部２９から後方へ向けて延びる細長い空間によって構成されている（図４参照）。従って、連通部２９を基準として、その前側には非膨張部３１が位置し、後ろ側には補助膨張部３２が位置していることとなる。補助膨張部３２は、連通部２９，上部チャンバ２５及び下部チャンバ２６に繋がっている。
【００３９】
エアバッグ２０には、さらに、その前側から後ろ側へ向けて順に、複数のベントホール３３、１つの挿通孔３４、１つのインフレータ挿入口３５、一対のボルト挿通孔３６、一対の内係止孔３７、及び一対の外係止孔３８が設けられている。
【００４０】
ベントホール３３は、ガス排出用チャンバ２７のガスを排出するための孔であり、エアバッグ２０において、上記ガス排出用チャンバ２７に対応する部分の複数箇所に開口されている。このベントホール３３は、重合部２１Ａ，２１Ｂの一方にのみ設けられてもよいし、両方に設けられてもよい。
【００４１】
挿通孔３４は、エアバッグ２０の補助膨張部３２に対応する箇所Ａを、連通部２９を挟んで同箇所Ａとは反対側（図４では右側）となる箇所で挿通させ得るようにするためのものである。挿通孔３４は、エアバッグ２０の両重合部２１Ａ，２１Ｂにおいて非膨張部３１に対応する箇所、すなわち第２内結合部２４によって囲まれた箇所で開口されている。挿通孔３４は、略上下方向に細長い切り込み（スリット）によって構成されている。ここで、図５（Ａ），（Ｂ）に示すように、挿通孔３４の幅をＷ１とし、箇所Ａのうち、挿通孔３４への挿通の対象となる部分において、最も幅広となっている部分での幅をＷ２とする。挿通孔３４の幅Ｗ１は、箇所Ａでの幅Ｗ２よりもわずかに大きな値に設定されている。
【００４２】
インフレータ挿入口３５は、後述するインフレータアセンブリ４０を連通部２９に配置する際に通される箇所であり、一方の重合部２１Ａであって、連通部２９と補助膨張部３２との境界部付近に設けられている。インフレータ挿入口３５は、略上下方向に延びる細長い切り込み（スリット）によって構成されている。インフレータ挿入口３５は、連通部２９に巻き付けられた状態の上記箇所Ａによって塞がれる。そのために、インフレータ挿入口３５の幅をＷ３とすると、この幅Ｗ３は箇所Ａの上記幅Ｗ２よりも小さな値に設定されている。
【００４３】
図５（Ａ）及び図６（Ｂ）の少なくとも一方に示すように、一対のボルト挿通孔３６は、上記インフレータアセンブリ４０におけるリテーナ４２のボルト４５を挿通するための孔であり、非膨張部３１と上記インフレータ挿入口３５との間において、互いに略上下方向に離間した箇所に設けられている。
【００４４】
一対の内係止孔３７は、エアバッグ２０の上記箇所Ａにおいて、上記各ボルト挿通孔３６から後方へ所定距離離れた箇所に設けられている。この箇所は、上記箇所Ａを連通部２９に沿わせて同連通部２９の周りに配置したとき、上記ボルト挿通孔３６に合致する箇所である。
【００４５】
一対の外係止孔３８は、エアバッグ２０の上記箇所Ａにおいて、上記内係止孔３７からさらに後方へ所定距離離れた箇所に設けられている。この箇所は、上記箇所Ａを連通部２９の周りに巻き付けたとき、上記ボルト挿通孔３６及び上記内係止孔３７に合致する箇所である。
【００４６】
＜インフレータアセンブリ４０＞
図３及び図６（Ａ），（Ｂ）の少なくとも１つに示すように、インフレータアセンブリ４０は、ガス発生源としてのインフレータ４１と、そのインフレータ４１の外側に装着されたリテーナ４２とを備えて構成されている。インフレータ４１は略円柱状をなしており、その内部にはガス発生剤（図示略）が収容されている。このタイプのインフレータ４１ではガス発生剤の燃焼反応によってガスが生成される。インフレータ４１の一方の端部には、生成したガスを噴出するガス吹出口４３が設けられている。
【００４７】
なお、インフレータ４１としては、上記ガス発生剤を用いたタイプに代えて、高圧ガスの充填された高圧ガスボンベの隔壁を火薬等によって破断してガスを噴出させるタイプが用いられてもよい。
【００４８】
一方、リテーナ４２は、ディフューザとして機能するとともに、上記インフレータ４１をエアバッグ２０と一緒にシートバック１４内のフレーム４４（図６（Ａ）参照）に締結する機能を有する部材である。リテーナ４２は、その大部分が金属板等の板材を曲げ加工等することによって上下方向に細長い略筒状に形成されている。リテーナ４２には一対のボルト４５が植設されている。
【００４９】
上記インフレータアセンブリ４０（ボルト４５を除く）の軸線に直交する面での断面は、膨張時の連通部２９の断面よりも小さく設定されている。また、補助膨張部３２に対応する箇所Ａが連通部２９の周りに巻き付けられる前の状態（図４参照）では、インフレータ挿入口３５は箇所Ａによって塞がれておらず、連通部２９の近傍で開口している。インフレータアセンブリ４０は、このように開口状態にあるインフレータ挿入口３５を通じて連通部２９に挿入されている。そして、インフレータアセンブリ４０は、略上下方向に延び、かつガス吹出口４３が下側に位置するように連通部２９に配置されている。
【００５０】
この配置状態では、連通部２９の一部がインフレータアセンブリ４０によって占められる。上記インフレータアセンブリ４０及び連通部２９間での断面積の相違から、連通部２９が膨張したときには、連通部２９におけるインフレータアセンブリ４０以外の箇所に、すなわちインフレータアセンブリ４０の周りに環状の空隙４６が生ずる。この環状の空隙４６は、上部チャンバ２５にも下部チャンバ２６にも繋がっており、上下両チャンバ２５，２６間でのガスの流路として機能する。
【００５１】
そして、リテーナ４２のボルト４５が連通部２９の対応するボルト挿通孔３６に挿通されている。さらに、図４において一点鎖線で示すように、上記箇所Ａが挿通孔３４に挿通されている。この挿通により、補助膨張部３２を上下両チャンバ２５，２６に跨らせた状態で連通部２９の近傍に配置し、さらには連通部２９の周りに配置することが可能となる。このような状況のもと、挿通孔３４に挿通された上記箇所Ａは、連通部２９の周りに緩く巻き付けられている。箇所Ａは、その膨張により連通部２９の流路面積を確実に縮小させるうえでは、連通部２９に対し少なくとも１周は巻き付けられることが望ましい。ここでは、箇所Ａは連通部２９に対し、１周巻き付けられたうえで、さらに約１／４周巻き付けられている。
【００５２】
この巻き付けの過程で、箇所Ａが内係止孔３７においてボルト４５に係止され、さらに外係止孔３８においてボルト４５に係止されている（図６（Ｂ）参照）。インフレータ挿入口３５は、上記のように巻き付けられた箇所Ａよりも内方に位置し、同インフレータ挿入口３５に箇所Ａの一部が被さっている。なお、箇所Ａを緩く巻き付けるのは、ガスの補助膨張部３２への流入、及びそのガスによる補助膨張部３２の膨張を可能とするためである。
【００５３】
ところで、エアバッグモジュール１５は、展開状態のエアバッグ２０が折り畳まれることによりコンパクトな形態にされ、リテーナ４２のボルト４５においてシートバック１４内のフレーム４４に挿通され、ナット（図示略）によって締め付け固定されている。
【００５４】
サイドエアバッグ装置は、上述したエアバッグモジュール１５のほかに図示しない衝撃センサ及び制御装置を備えている。衝撃センサは加速度センサ等からなり、車両のボディサイド部１１（図２参照）等に設けられている。衝撃センサは、ボディサイド部１１に側方から加えられる衝撃を検出する。制御装置は、衝撃センサからの検出信号に基づきインフレータ４１の作動を制御する。
【００５５】
上記のようにして、本実施形態のサイドエアバッグ装置が構成されている。このサイドエアバッグ装置では、車両のボディサイド部１１に所定値以上の衝撃が加わり、そのことが衝撃センサによって検出されると、その検出信号に基づき制御装置から駆動電流がインフレータ４１に出力される。この駆動電流に基づく加熱により、インフレータ４１内のガス発生剤により高温高圧のガスが生成される。このガスは、ガス吹出口４３から噴出される。
【００５６】
噴出されたガスはまず下部チャンバ２６に流入する。このガス流入により、エアバッグ２０において下部チャンバ２６に対応する箇所Ｃ（図３参照）が膨張を開始し、折り状態を解消しながら略前方へ展開する。
【００５７】
また、このときには、連通部２９においてインフレータアセンブリ４０以外の箇所、すなわち、インフレータアセンブリ４０の周りの環状の空隙４６がガスの流路として機能し、ガスが環状の空隙４６を流通可能である（図６（Ｂ）参照）。また、この環状の空隙４６は上部チャンバ２５にも下部チャンバ２６にも繋がっている。そのため、下部チャンバ２６にガスがある程度充填されてくると、ガスの一部が上記環状の空隙４６を通って上部チャンバ２５へ流入する。このガス流入により、エアバッグ２０において上部チャンバ２５に対応する箇所Ｂ（図３参照）が、上記下部チャンバ２６に対応する箇所Ｃに若干遅れて膨張を開始し、折り状態を解消しながら略前方へ展開する。
【００５８】
なお、上部チャンバ２５へは、ガス吹出口４３から噴出されたガスの一部が、インフレータ４１及びリテーナ４２間の隙間Ｇ（図６（Ｂ）参照）を通っても供給されるが、その量は環状の空隙４６を流れるガスの量に比べてわずかである。
【００５９】
このように、インフレータ４１からのガスがまず下部チャンバ２６に供給され、同下部チャンバ２６がガスによってある程度膨張してから上部チャンバ２５にガスが供給されることで、エアバッグ２０の下部チャンバ２６に対応する箇所Ｃが乗員Ｐの腰部Ｐｐの側方で高い内圧で膨張する。エアバッグ２０の上部チャンバ２５に対応する箇所Ｂが乗員Ｐの胸部Ｐｔ及び腹部Ｐｓの側方で低い内圧で膨張する。上下両チャンバ２５，２６間で内圧差が生ずる。そのため、エアバッグ２０は、乗員Ｐの各部の耐衝撃性に応じた内圧で乗員Ｐに接触することとなり、乗員Ｐの各部が衝撃から有効に保護される。
【００６０】
また、上記エアバッグ２０の膨張過程では、上下両チャンバ２５，２６がある程度膨張してから、連通部２９の周りに巻き付けられた状態で配置された補助膨張部３２にもガスが流入する。ガスが補助膨張部３２に満遍なく行き渡ることで、図７に示すように、同補助膨張部３２は連通部２９を取り囲んだ状態で環状に膨張する。この際、補助膨張部３２は連通部２９の周りで外側にも内側にも膨張する。この膨張、特に内側への膨張が進行するに従い補助膨張部３２の内径が小さくなり、エアバッグ２０において、補助膨張部３２の内側の連通部２９に対応する箇所が締め付けられた状態となって縮径させられる。連通部２９（環状の空隙４６）の流路面積が縮小されていき、ガスが徐々に連通部２９を流れにくくなる（連通部２９でのガスの流通が抑制される）。
【００６１】
その結果、上下両チャンバ２５，２６間での内圧差は、連通部２９の流路面積の変化のない場合（背景技術がこれに相当する）とは異なったものとなる。そして、膨張した補助膨張部３２によって連通部２９が閉塞されると、同連通部２９でのガスの流通が遮断されて、同連通部２９でのガス流通に起因する上下両チャンバ２５，２６間での内圧差の変化が少なくなる。
【００６２】
なお、インフレータアセンブリ４０が連通部２９に配置された本実施形態では、連通部２９の一部がインフレータアセンブリ４０によって占められていて、連通部２９の実質的な流路面積は、インフレータアセンブリ４０の分だけ小さくなっている。そのため、インフレータアセンブリ４０が連通部２９とは異なる箇所に配置された場合に比べて、補助膨張部３２が少ない量膨張するだけで連通部２９が閉塞される。
【００６３】
また、エアバッグ２０には箇所Ａを挿通させるための挿通孔３４が開口されていて、この挿通孔３４がガス漏出の原因となり得る。しかし、挿通孔３４は、無端状をなす第２内結合部２４によって取り囲まれている。そのため、上下各チャンバ２５，２６、連通部２９及び補助膨張部３２のガスは第２内結合部２４よりも内側（挿通孔３４側）へは流入できず、従って、挿通孔３４からのガス漏れのおそれはない。
【００６４】
さらに、連通部２９の近傍で開口するインフレータ挿入口３５は、エアバッグ膨張時には、ガスが漏出する箇所となり得る。しかし、本実施形態では、膨張した補助膨張部３２がインフレータ挿入口３５の少なくとも周縁部分を押圧する。この押圧により、インフレータ挿入口３５が気密状態で塞がれ、エアバッグ２０内のガスがインフレータ挿入口３５から漏れ出る現象が抑止される。
【００６５】
そして、上記のように膨張したエアバッグ２０は車両側方からの衝撃を受けて、ボディサイド部１１と乗員Ｐとの間で押圧される（図２参照）。この際、上部チャンバ２５に充填されたガスの一部は、第１内結合部２３のスリット２８を通ってガス排出用チャンバ２７に流出する。さらに、ガス排出用チャンバ２７のガスはベントホール３３を通ってエアバッグ２０の外部へ排出される。こうしたガスの流れにより、上記押圧に伴う上部チャンバ２５の内圧の上昇が抑制される。
【００６６】
以上詳述した第１実施形態によれば、次の効果が得られる。
（１）エアバッグ２０の一部に、ガスにより連通部２９の周りで膨張する補助膨張部３２を設けている。そのため、補助膨張部３２の膨張を利用して連通部２９におけるガスの流通を制御することができ、もって上下両チャンバ２５，２６間での内圧差について過渡特性を設定することができる。
【００６７】
特に、補助膨張部３２へのガス流入のしやすさを適切に設定することで、補助膨張部３２が膨張するタイミングを変えて、連通部２９におけるガスの流通量を可変にし、下部チャンバ２６から上部チャンバ２５へのガス流通を制御することができる。例えば、下部チャンバ２６がガスによってある程度充填されてから連通部２９を閉塞するといったことも可能となる。
【００６８】
（２）エアバッグ２０の一部である補助膨張部３２によって連通部２９を閉塞してガスの流通を遮断している。同遮断のために特許文献１に記載されたようなホースバンド等の締付部材を用いなくてもすみ、その分、サイドエアバッグ装置の部品点数を少なくしてコスト低減を図ることができる。
【００６９】
（３）背景技術で説明したように、１つのガス吹出口を有するインフレータを連通部に配置したサイドエアバッグ装置では、連通部２９を閉塞できない構造であることから、上部チャンバ２５及び下部チャンバ２６間で内圧差を確保しようとすると、連通部２９をあまり大きく形成できない。反面、連通部２９が小さくなると、下部チャンバ２６から上部チャンバ２５へガスが流れにくくなり、上部チャンバ２５にガスを充填させるのに時間がかかり膨張が遅くなる。
【００７０】
これに対し、第１実施形態では、膨張する補助膨張部３２によって連通部２９の流路面積を小さくするようにしている。そのため、連通部２９を大きく形成しても、その連通部２９を閉塞することができる。連通部２９でのガスの流通量を多くして上部チャンバ２５も早く膨張させることと、連通部２９を閉塞して上下両チャンバ２５，２６間での内圧差を確保することとの両立が可能となる。
【００７１】
（４）インフレータアセンブリ４０を連通部２９に配置している。そのため、補助膨張部３２の少ない膨張で連通部２９を閉塞することができ、補助膨張部３２による連通部２９の閉塞が容易となる。
【００７２】
（５）エアバッグ２０に、上下両チャンバ２５，２６に跨る非膨張部３１を設け、上部チャンバ２５と連通部２９とを非膨張部３１を介して隣接させるとともに、下部チャンバ２６と連通部２９とを非膨張部３１を介して隣接させている。また、無端状の第２内結合部２４によって非膨張部３１を構成し、この非膨張部３１に挿通孔３４を設けている。そのため、エアバッグ２０の補助膨張部３２に対応する箇所Ａを挿通孔３４に挿通させることで、上下各チャンバ２５，２６、連通部２９、及び補助膨張部３２からのガス漏出を招来することなく、同箇所Ａを上下両チャンバ２５，２６に跨らせた状態で連通部２９の近傍に配置し、さらには連通部２９の周りに配置することができる。
【００７３】
（６）補助膨張部３２を連通部２９の周りに巻き付けた状態で配置している。このため、補助膨張部３２により連通部２９を取り囲み、この状態で補助膨張部３２を環状に膨張させることができ、連通部２９の流路面積を縮小させることができる。従って、上述した（１）〜（５）に記載した効果が確実に得られる。
【００７４】
（７）エアバッグ２０における連通部２９の近傍であって、補助膨張部３２の巻き付けられる箇所にインフレータ挿入口３５を設けている。そのため、インフレータアセンブリ４０の連通部２９への挿入を可能としつつ、エアバッグ膨張時には補助膨張部３２の膨張を利用してインフレータ挿入口３５からのガス漏出を抑止し、シール性を確保することができる。従って、インフレータ挿入口３５からのガス漏出を抑止するための部材や機構を別途設けなくてもすむ。
【００７５】
（８）ここで、インフレータ挿入口３５を塞ぐために、本実施形態とは異なる構造を採用することも考えられる。例えば、インフレータ挿入口３５の近傍に舌片を設け、この舌片をエアバッグ２０におけるインフレータ挿入口３５に重ね合わせ、そのうえで舌片をエアバッグ２０の他の部位とともにリテーナ４２のボルト４５によってシートバック１４のフレーム４４に締め付け固定するものが挙げられる。これは、インフレータ４１のフレーム４４等に対する締結を利用して、インフレータ挿入口３５を塞いでガス漏れを抑制しようとするものである。しかし、この構造では、ボルト４５の締結のみによって舌片をインフレータ挿入口３５の周縁部分に押し付けているため、適切にインフレータ４１をフレーム４４に締結しないと、舌片をインフレータ挿入口３５の周縁部分の全周にわたって押し付けることができず、それら舌片及びインフレータ挿入口３５間を確実にシールすることが難しい。
【００７６】
この点、本実施形態では、上述したように膨張する補助膨張部３２がインフレータ挿入口３５を、その周縁部分の全周にわたって押し付ける。そのため、インフレータ挿入口３５及び補助膨張部３２間のシール性を高め、同インフレータ挿入口３５からのガス漏れを確実に抑止することができる。
【００７７】
（９）補助膨張部３２に内係止孔３７及び外係止孔３８を設け、これらの係止孔３７，３８において、連通部２９の周りに巻き付けられた箇所Ａをリテーナ４２のボルト４５に掛け止めるようにしている。そのため、箇所Ａを連通部２９に巻き付けられた状態に保持するための部材や機構を別途設けなくてもすむ。
【００７８】
（第２実施形態）
次に、本発明を具体化した第２実施形態について、図８を参照して説明する。
第２実施形態は、補助膨張部３２が上下両チャンバ２５，２６については内圧の高い側のチャンバである下部チャンバ２６にのみ連通している点で、補助膨張部３２が上下両チャンバ２５，２６に連通している第１実施形態と異なっている。また、連通部２９に対しては、補助膨張部３２は同連通部２９の下部にのみ連通している。ここでは、周縁結合部２２のうち上部チャンバ２５と補助膨張部３２との境界部分２２Ａが、連通部２９（インフレータ挿入口３５）と補助膨張部３２との間に入り込み、下部チャンバ２６の近傍まで延びている。なお、図８において第１実施形態と同様の箇所、部材等には同一の符号が付されている。
【００７９】
上記構成の第２実施形態によると、連通部２９に巻き付けられた補助膨張部３２へは、内圧の高い下部チャンバ２６のみからガスが流入する。従って、エアバッグ２０が膨張する過程において、比較的早い時期に補助膨張部３２にガスが流入して同補助膨張部３２が膨張し、連通部２９（環状の空隙４６）の流路面積が縮小され、上部チャンバ２５へガスが流入しにくくなる。補助膨張部３２によって連通部２９が閉塞される時期が早まる。
【００８０】
従って、第２実施形態によると、上記第１実施形態における（１）〜（９）に加え、次の効果が得られる。
（１０）補助膨張部３２を下部チャンバ２６にのみ連通させている。そのため、連通部２９を早く閉塞して上部チャンバ２５へのガスの流入を早く遮断することができ、上下両チャンバ２５，２６間で大きな内圧差を確保することができる。
【００８１】
（第３実施形態）
次に、本発明を具体化した第３実施形態について、図９を参照して説明する。
第３実施形態は、補助膨張部３２が上下両チャンバ２５，２６については内圧の低い側のチャンバである上部チャンバ２５にのみ連通している点で、補助膨張部３２が上下両チャンバ２５，２６に連通している第１実施形態と異なっている。また、連通部２９に対しては、補助膨張部３２はその連通部２９の上部にのみ連通している。ここでは、周縁結合部２２のうち下部チャンバ２６と補助膨張部３２との境界部分２２Ｂが、連通部２９（インフレータ挿入口３５）と補助膨張部３２との間に入り込み、上部チャンバ２５の近傍まで延びている。なお、図９において第１実施形態と同様の箇所、部材等には同一の符号が付されている。
【００８２】
上記構成の第３実施形態によると、連通部２９に巻き付けられた補助膨張部３２へは、内圧の低い上部チャンバ２５のみからガスが流入する。そのため、エアバッグ２０が膨張する過程において、下部チャンバ２６にガスが充填され、その後に上部チャンバ２５にガスがある程度充填されるまでは、連通部２９の流路面積は補助膨張部３２によってはほとんど縮小されず、連通部２９は補助膨張部３２の非膨張時と同程度の連通状態を維持する。
【００８３】
そして、上部チャンバ２５にガスがある程度充填されると、同上部チャンバ２５から補助膨張部３２へガスが流入するようになる。このガスの流入により補助膨張部３２が膨張し、連通部２９の流路面積が縮小され、同連通部２９でのガスの流通が抑制される。下部チャンバ２６からガスが連通部２９を通じて上部チャンバ２５へ流入しにくくなる。
【００８４】
従って、第３実施形態によると、上記第１実施形態における（１）〜（９）に加え、次の効果が得られる。
（１１）補助膨張部３２を上部チャンバ２５にのみ連通させている。そのため、上部チャンバ２５に充分な量のガスが充填されるまで、連通部２９の連通状態を確保することができる。
【００８５】
なお、本発明は次に示す別の実施形態に具体化することができる。
・前記各実施形態では、インフレータ４１として、長尺状をなし、かつ軸方向についての一方の端部にのみガス吹出口４３を有するものを用いたが、これに代え、軸方向について異なる２箇所に、単位時間当たりのガス噴出量の異なる２つのガス吹出口を有するものを用いてもよい。このように、ガス吹出口間でガス噴出量を異ならせる構成としては、例えば、インフレータ４１内に設けた２つの収容室に、（ｉ）同一種類のガス発生剤を収容するものと、（ii）単位時間当たりのガス発生量の異なる２種類のガス発生剤を収容するものとがある。前者（ｉ）の場合、ガス発生剤の収容量を収容室間で異ならせる。
【００８６】
そして、ガス噴出量の多い側のガス吹出口が内圧の高い側のチャンバ（下部チャンバ２６）に位置し、かつガス噴出量の少ない側のガス吹出口が内圧の低い側のチャンバ（上部チャンバ２５）に位置するようにインフレータ４１を連通部２９に配置する。
【００８７】
この場合、上部チャンバ２５及び下部チャンバ２６に対し、対応するガス吹出口からガスがそれぞれ噴出される。単位時間当たりのガス噴出量の相違から下部チャンバ２６がより早く膨張し、その後、ガスが連通部２９を通って上部チャンバ２５に流入する。従って、ガスの噴出態様が若干異なるものの、連通部２９では、一方の端部にのみガス吹出口４３を有するインフレータ４１を用いた場合（第１実施形態等）と同様にガスが流れる。そのため、この場合にも第１実施形態と同様の作用及び効果が得られる。
【００８８】
ただし、上下両チャンバ２５，２６間で内圧差についての過渡特性を設定しつつ、腰部Ｐｐの側方で下部チャンバ２６を高い内圧で膨張展開させ、胸部Ｐｔ等の側方で上部チャンバ２５を低い内圧で膨張展開させる効果は、一方の端部にのみガス吹出口４３を有するインフレータ４１を、第１実施形態にて説明した態様で使用した場合に最も期待できる。ガスが下部チャンバ２６→連通部２９→上部チャンバ２５の順に流れ、しかも補助膨張部３２の膨張により連通部２９の流路面積が縮小されるからである。
【００８９】
・本発明は、エアバッグ２０に非膨張部３１を有しないサイドエアバッグ装置にも適用可能である。その一例を図１０に示す。このサイドエアバッグ装置では、エアバッグ２０において上記非膨張部３１に相当する部分に開口５１が設けられており、この開口５１の周縁部分にも周縁結合部２２が設けられている。この開口５１は第１実施形態における挿通孔３４と同様の機能を発揮する。従って、エアバッグ２０における箇所Ａを開口５１に挿通することができ、また、第１実施形態と同様に連通部２９の周りに巻き付けることができる。
【００９０】
・前記第１実施形態では、エアバッグ２０として、上部チャンバ２５に対応する箇所Ｂと、下部チャンバ２６に対応する箇所Ｃとが分離されているタイプを採用した（図３参照）。これに代えて、図１１に示すように、上部チャンバ２５と下部チャンバ２６とが、エアバッグ２０に設けられたテザー、シーム等の仕切り部５２を介して互いに隣り合っているタイプを採用してもよい。テザーは、両重合部２１Ａ，２１Ｂ間に配置され、かつ自身の側縁部にて対応する重合部２１Ａ，２１Ｂに縫合される帯状の布からなり、両重合部２１Ａ，２１Ｂを所定の間隔を隔てた状態で連結する際に用いられる。シームは、縫糸による縫合部分であり、両重合部２１Ａ，２１Ｂを縫糸によって縫合することによって、両重合部２１Ａ，２１Ｂを互いに接触させた状態で連結する際に用いられる。
【００９１】
・人体側部の耐衝撃性は、一般に腰部Ｐｐで最も高く、それ以外の部位、特に胸部Ｐｔや腹部Ｐｓで低いことが知られている。そこで、連通部２９を介して相互に連通する一対のチャンバを設ける場合、その一方を腰部Ｐｐの側方で膨張するチャンバとし、他方を腰部Ｐｐ以外の部位の側方で膨張するチャンバとすることが好ましい。このことから、上記各実施形態では、上記他方のチャンバを胸部Ｐｔ及び腹部Ｐｓの側方で膨張する上部チャンバ２５としたが、同他方のチャンバを胸部Ｐｔ、腹部Ｐｓ、肩部、頭部のいずれか、又は組み合わせたものの側方で膨張するチャンバとしてもよい。
【００９２】
・また、エアバッグ２０として、３つ以上のチャンバを有するものを用いてもよい。ただし、少なくとも２つのチャンバについては連通部２９を介して相互に連通させる必要がある。
【００９３】
・本発明は、以下のサイドエアバッグ装置にも適用可能である。（ａ）エアバッグ２０が完全に膨張したとき、乗員Ｐにおける胸部Ｐｔ及び腹部Ｐｓの少なくとも一方の側方近傍に位置する箇所を膨張させないように構成したサイドエアバッグ装置。（ｂ）第１内結合部２３が割愛されて、上部チャンバ２５とは別にガス排出用チャンバ２７が設けられていないサイドエアバッグ装置。（ｃ）インフレータアセンブリ４０が連通部２９とは異なる箇所に配置されたサイドエアバッグ装置。（ｄ）リテーナ４２を用いることなくインフレータ４１をシートバック１４に直接取り付けるようにしたサイドエアバッグ装置。（ｅ）シートバック１４に代えて、車両のボディサイド部１１に装着されるサイドエアバッグ装置。（ｆ）補助膨張部３２を巻き付け以外の態様で連通部２９の周りに配置したサイドエアバッグ装置。
【図面の簡単な説明】
【００９４】
【図１】本発明を具体化した第１実施形態において、サイドエアバッグ装置が適用される車両用シートの概略側面図。
【図２】第１実施形態における車両用シート及びボディサイド部の位置関係を説明する概略平面図。
【図３】第１実施形態におけるエアバッグが展開させられた状態のエアバッグモジュールを示す側面図。
【図４】第１実施形態における補助膨張部が連通部の周りに巻き付けられる前の展開状態のエアバッグモジュールを示す斜視図。
【図５】第１実施形態を示す図であり、（Ａ）は、補助膨張部が連通部の周りに巻き付けられる前の展開状態のエアバッグモジュールを示す部分側面図、（Ｂ）は、補助膨張部が連通部の周りに巻き付けられた状態のエアバッグモジュールを示す部分側面図。
【図６】第１実施形態を示す図であり、（Ａ）は、補助膨張部が膨張する前のエアバッグモジュールの内部構造を模式的に示す平断面図、（Ｂ）は、（Ａ）における補助膨張部及びその周辺を拡大して示す部分平断面図。
【図７】図６（Ｂ）の状態から補助膨張部が膨張したときの同補助膨張部及びその周辺を模式的に示す部分平断面図。
【図８】本発明を具体化した第２実施形態において、補助膨張部が連通部の周りに巻き付けられる前の展開状態のエアバッグモジュールを示す側面図。
【図９】本発明を具体化した第３実施形態において、補助膨張部が連通部の周りに巻き付けられる前の展開状態のエアバッグモジュールを示す側面図。
【図１０】非膨張部に代えて連通部の近傍に開口を設けたエアバッグについての別の実施形態を示す側面図。
【図１１】上部チャンバ及び下部チャンバを仕切り部により区画形成したエアバッグについての別の実施形態を示す側面図。
【符号の説明】
【００９５】
１１…ボディサイド部、２０…エアバッグ、２５…上部チャンバ，２６…下部チャンバ、２９…連通部、３１…非膨張部、３２…補助膨張部、３４…挿通孔、３５…インフレータ挿入口、４１…インフレータ、Ｐ…乗員。
【図１】
2008189132.tif 000003
【図２】
2008189132.tif 000004
【図３】
2008189132.tif 000005
【図４】
2008189132.tif 000006
【図５】
2008189132.tif 000007
【図６】
2008189132.tif 000008
【図７】
2008189132.tif 000009
【図８】
2008189132.tif 000010
【図９】
2008189132.tif 000011
【図１０】
2008189132.tif 000012
【図１１】
2008189132.tif 000013